(57)【特許請求の範囲】
【請求項１】
高圧ガスを中圧に減圧する一次調整部Ｒ１と、前記一次調整部Ｒ１で減圧された中圧ガスを更に低圧に減圧して送り出す二次調整部Ｒ２と、前記二次調整部Ｒ２の下流側の圧力が設定値より上昇した時、前記一次調整部Ｒ１への高圧ガスの流れを遮断する上昇時遮断機構Ｃ１と、前記二次調整部Ｒ２の下流側の圧力が設定値より低下した時、前記一次調整部Ｒ１から二次調整部Ｒ２への中圧ガスの流れを遮断する低下時遮断機構Ｃ２とからなり、
前記一次調整部Ｒ１が、
調整バネ１６の押圧下において前記二次調整部Ｒ２側の圧力変動に応じて変位するダイヤフラム２７と、前記ダイヤフラム２７の支持部材３１と一体的に変位する連動軸２８と、前記連動軸２８の先端部に設けられ、高圧部の部屋２１と中圧部の部屋２２間の隔壁２３に設けたノズル９を開閉する弁体８とからなり、前記調整バネ１６の押圧力とダイヤフラム室２５内の圧力との見合いによって、前記ダイヤフラム２７が変位して、高圧ガスを中圧に減圧するようにしたダイヤフラム弁機構を有するものであり、
前記二次調整部Ｒ２が、
調整バネ１７の押圧下において調整器の下流側の圧力変動に応じて変位するダイヤフラム１１と、前記ダイヤフラム１１の支持部材４０と一体的に変位する連動軸３２と、前記連動軸３２の先端部の連結孔３３に基端部を嵌挿され、支軸部３４を中心に揺動するレバー１２と、調整器の出口部５５の奥部に捻じ込み深さを調整して捻じ込み装着され、端面壁にノズル１４を形成した筒体３５と、前記筒体３５の中心部にスライド可能に嵌挿された弁軸３６と、前記弁軸３６の中間部に設けられ、前記ノズル１４を開閉する弁体１３とからなり、前記弁軸３６の先端部の連結孔３７に前記レバー１２の先端部が嵌挿されており、前記調整バネ１７の押圧力とダイヤフラム室３９内の圧力との見合いによって、前記ダイヤフラム１１が変位して、前記一次調整部Ｒ１で減圧された中圧ガスを更に低圧に減圧して送り出すようにしたダイヤフラム弁機構を有するものである、
遮断機構付き調整器において、
前記上昇時遮断機構Ｃ１が、
調整バネ５３の押圧下において前記二次調整部Ｒ２の下流側圧力の変動に応じて変位するダイヤフラム１と、前記ダイヤフラム１の支持部材２にスライド可能に挿通されて、ダイヤフラム室２９の内壁３０の軸孔４２に嵌挿されている操作軸４と、前記ダイヤフラム室２９の前記内壁３０と前記操作軸４間に挿入されて、前記操作軸４を前記一次調整部Ｒ１の前記連動軸２８に向かって前進付勢するバネ部材５と、前記操作軸４を前進不能に拘束するロック機構３とからなり、
前記ロック機構３が、
前記ダイヤフラム１の前記支持部材２に固定され、先端部が縮径された規制筒４１と、前記ダイヤフラム室２９の前記内壁３０に前記ダイヤフラム１に向けて突出形成したガイド突起４３と、前記操作軸４の周面に形成した溝４４に一部が出入りするボール４７と、前記操作軸４の前進付勢用の前記バネ部材５とによって構成されており、
調整器の下流側圧力が正常範囲にあるときには、前記ボール４７の一部分が前記溝４４に入り込み、前記ボール４７の表面に前記溝４４の起立壁面４８と前記ガイド突起４３の先端面４５と前記規制筒４１の縮径部内面４６に当接することによって、前記操作軸４の前進移動を制止するようにしたものであり、
前記二次調整部Ｒ２の下流側圧力が上昇したときには、前記ダイヤフラム１が変位して、前記ボール４７が前記溝４４の他側の傾斜壁面４９に押されて前記溝４４から押し出されることによって、前記ロック機構３の拘束が解除され、前記バネ部材５の付勢により前記操作軸４が前記連動軸２８に向かって前進移動し、前記一次調整部Ｒ１の前記弁体８が前記ノズル９に押し当てられることによってガスの流れが遮断されるものであり、
前記低下時遮断機構Ｃ２が、
前記二次調整部Ｒ２の前記ダイヤフラム弁機構を兼用して構成されており、
調整器の下流側圧力が設定値よりも下降したとき、前記ダイヤフラム１１が変位して、前記連動軸３２を介して前記ダイヤフラム１１に連動している前記レバー１２が、前記支軸部３４の周りに回動して前記弁棒３６を移動させ、これによって前記弁体１３が前記ノズル１４に押し当てられることによって、ガスの流れが遮断されるものであり、調整器の前記出口部５５における低圧レベルよりも調整器内部における中圧レベルの方を高くしてあり、この圧力差によって前記遮断状態を維持するようにしたものである、
ことを特徴とする遮断機構付き調整器。
【発明の詳細な説明】
【技術分野】
【０００１】
本発明は、調整器から下流側の圧力が設定値より上昇した時または下降した時、即時にガスの流れを遮断し、事故を防ぐ機能を備えた調整器に関する。
【背景技術】
【０００２】
調整器下流の圧力異常で遮断する装置は、調整器下流に設置されるガスメータにその機構が付加されている（特許文献１参照）。
しかし、この遮断機構は圧力低下時しか機能しなく、圧力上昇時にはガスの流れを遮断することができない。従って調整器のノズルと弁ゴムの間にごみ等が入って圧力異常を起こした時、下流側の燃焼機やガスメータを圧力上昇から保護することができない。
また、調整器からガスメータまでの配管が何らかの原因で破損した場合、ガスメータより上流であるため、ガスメータの遮断機構が機能しても、ガスが破損部分から流れ出し続ける。
【０００３】
【特許文献１】特公平７−９９３４８号公報
【発明の開示】
【発明が解決しようとする課題】
【０００４】
本発明は、調整器内に調整器下流の圧力変化によって作動する遮断機構を付けることにより、下流側の圧力が設定値より上昇した時または下降した時、即時にガスの流れを遮断し、下流側のガスメータや燃焼機を圧力上昇から保護し、また調整器下流の配管破損等に伴う漏洩事故を防ぐものである。
【課題を解決するための手段】
【０００５】
添付図面中の参照符号を用いて説明すると、本発明の主たる特徴は、高圧ガスを中圧に減圧する一次調整部Ｒ１と、前記一次調整部Ｒ１で減圧された中圧ガスを更に低圧に減圧して送り出す二次調整部Ｒ２と、前記二次調整部Ｒ２の下流側の圧力が設定値より上昇した時、前記一次調整部Ｒ１への高圧ガスの流れを遮断する上昇時遮断機構Ｃ１と、前記二次調整部Ｒ２の下流側の圧力が設定値より低下した時、前記一次調整部Ｒ１から二次調整部Ｒ２への中圧ガスの流れを遮断する低下時遮断機構Ｃ２とからなり、
前記一次調整部Ｒ１が、
調整バネ１６の押圧下において前記二次調整部Ｒ２側の圧力変動に応じて変位するダイヤフラム２７と、前記ダイヤフラム２７の支持部材３１と一体的に変位する連動軸２８と、前記連動軸２８の先端部に設けられ、高圧部の部屋２１と中圧部の部屋２２間の隔壁２３に設けたノズル９を開閉する弁体８とからなり、前記調整バネ１６の押圧力とダイヤフラム室２５内の圧力との見合いによって、前記ダイヤフラム２７が変位して、高圧ガスを中圧に減圧するようにしたダイヤフラム弁機構を有するものであり、
前記二次調整部Ｒ２が、
調整バネ１７の押圧下において調整器の下流側の圧力変動に応じて変位するダイヤフラム１１と、前記ダイヤフラム１１の支持部材４０と一体的に変位する連動軸３２と、前記連動軸３２の先端部の連結孔３３に基端部を嵌挿され、支軸部３４を中心に揺動するレバー１２と、調整器の出口部５５の奥部に捻じ込み深さを調整して捻じ込み装着され、端面壁にノズル１４を形成した筒体３５と、前記筒体３５の中心部にスライド可能に嵌挿された弁軸３６と、前記弁軸３６の中間部に設けられ、前記ノズル１４を開閉する弁体１３とからなり、前記弁軸３６の先端部の連結孔３７に前記レバー１２の先端部が嵌挿されており、前記調整バネ１７の押圧力とダイヤフラム室３９内の圧力との見合いによって、前記ダイヤフラム１１が変位して、前記一次調整部Ｒ１で減圧された中圧ガスを更に低圧に減圧して送り出すようにしたダイヤフラム弁機構を有するものである、
遮断機構付き調整器において、
前記上昇時遮断機構Ｃ１が、
調整バネ５３の押圧下において前記二次調整部Ｒ２の下流側圧力の変動に応じて変位するダイヤフラム１と、前記ダイヤフラム１の支持部材２にスライド可能に挿通されて、ダイヤフラム室２９の内壁３０の軸孔４２に嵌挿されている操作軸４と、前記ダイヤフラム室２９の前記内壁３０と前記操作軸４間に挿入されて、前記操作軸４を前記一次調整部Ｒ１の前記連動軸２８に向かって前進付勢するバネ部材５と、前記操作軸４を前進不能に拘束するロック機構３とからなり、
前記ロック機構３が、
前記ダイヤフラム１の前記支持部材２に固定され、先端部が縮径された規制筒４１と、前記ダイヤフラム室２９の前記内壁３０に前記ダイヤフラム１に向けて突出形成したガイド突起４３と、前記操作軸４の周面に形成した溝４４に一部が出入りするボール４７と、前記操作軸４の前進付勢用の前記バネ部材５とによって構成されており、
調整器の下流側圧力が正常範囲にあるときには、前記ボール４７の一部分が前記溝４４に入り込み、前記ボール４７の表面に前記溝４４の起立壁面４８と前記ガイド突起４３の先端面４５と前記規制筒４１の縮径部内面４６に当接することによって、前記操作軸４の前進移動を制止するようにしたものであり、
前記二次調整部Ｒ２の下流側圧力が上昇したときには、前記ダイヤフラム１が変位して、前記ボール４７が前記溝４４の他側の傾斜壁面４９に押されて前記溝４４から押し出されることによって、前記ロック機構３の拘束が解除され、前記バネ部材５の付勢により前記操作軸４が前記連動軸２８に向かって前進移動し、前記一次調整部Ｒ１の前記弁体８が前記ノズル９に押し当てられることによってガスの流れが遮断されるものであり、
前記低下時遮断機構Ｃ２が、
前記二次調整部Ｒ２の前記ダイヤフラム弁機構を兼用して構成されており、
調整器の下流側圧力が設定値よりも下降したとき、前記ダイヤフラム１１が変位して、前記連動軸３２を介して前記ダイヤフラム１１に連動している前記レバー１２が、前記支軸部３４の周りに回動して前記弁棒３６を移動させ、これによって前記弁体１３が前記ノズル１４に押し当てられることによって、ガスの流れが遮断されるものであり、調整器の前記出口部５５における低圧レベルよりも調整器内部における中圧レベルの方を高くしてあり、この圧力差によって前記遮断状態を維持するようにしたことである。
【発明の効果】
【０００６】
本発明の遮断機構付き調整器では、調整器の下流側圧力が上昇した時には、上昇時遮断機構Ｃ１の前記ロック機構３が瞬時に自動的に解除され、前記バネ部材５の付勢により操作軸４が連動軸２８を押し、前記弁体８がノズル９に押し当てられることによって、ガスの流れが即座に遮断される。この遮断状態から導通状態に復帰させるには、下流側圧力が正常になるような所要の対策措置を講じた後、前記操作軸４を前記連動軸２８から退く方向に引張り移動させる。この引張り動作の終端で、前記ボール４７が前記溝４４に落ち込むことによって前記操作軸４のロックが再度成立する。前記上昇時遮断機構Ｃ１が作動する圧力レベルは、前記調整バネ５３の圧縮量を変更することによって行なわれる。
調整器の下流側圧力が設定レベルよりも下降した時には、前記ダイヤフラム１１が変位して前記連動軸３２が移動し、前記連動軸３２を介して前記ダイヤフラム１１に連動している前記レバー１２が前記支軸部３４の周りに回動し、前記弁棒３６が移動させられることによって、前記弁体１３がノズル１４に押し当てられる。これによってガスの流れは即座に遮断され、調整器の出口部５５からのガスの放出はなくなる。調整器出口部５５における低圧レベルよりも調整器内部における中圧レベルの方が高いため、この圧力差によって前記遮断状態は的確に維持される。
【０００７】
このように本発明の遮断機構付き調整器によれば、何らかの原因によって二次調整部Ｒ２の下流側の圧力が設定値より上昇した時には、一次調整部Ｒ１への高圧ガスの流れが上昇時遮断機構Ｃ１によって即時に遮断される一方、二次調整部Ｒ２の下流側の圧力が設定値より低下した時には、一次調整部Ｒ１から二次調整部Ｒ２への中圧ガスの流れが低下時遮断機構Ｃ２によって即時に遮断されるため、下流側のガスメータや燃焼機を圧力上昇から的確に保護し、また、調整器下流側における配管破損等に伴う漏洩事故を的確に防止することができる。
【発明を実施するための最良の形態】
【０００８】
前記一次調整部Ｒ１としては、公知のダイヤフラム弁機構を使用しており、これは調整バネ１６の押圧下において二次調整部Ｒ２側の圧力変動に応じて変位するダイヤフラム２７と、ダイヤフラム２７の支持部材３１と一体的に変位する連動軸２８と、連動軸２８の先端部に設けられ、高圧部の部屋２１と中圧部の部屋２２間の隔壁２３に設けたノズル９を開閉する弁体８と構成される。
【０００９】
前記上昇時遮断機構Ｃ１は、公知のダイヤフラムラム弁機構と新規のロック機構との組み合わせである。ダイヤフラム１は調整バネ５３の押圧下において二次調整部Ｒ２の下流側圧力の変動に応じて変位するものであり、ダイヤフラム１の支持部材２には操作軸４がスライド可能に挿通され、操作軸４はさらにダイヤフラム室２９の内壁３０の軸孔４２に嵌挿されている。ダイヤフラム室２９の内壁３０と操作軸４間にはバネ部材５が挿入されており、操作軸４を一次調整部Ｒ１の連動軸２８に向かって前進付勢している。
ロック機構３は、操作軸４を前進不能に拘束し、二次調整部Ｒ２の下流側圧力が上昇したとき当該拘束を解除するように構成される。
【００１０】
ロック機構３による操作軸４の拘束が解除された時、バネ部材５の付勢によって操作軸４は連動軸２８に向けて即座に駆動され、一次調整部Ｒ１の弁体８を隔壁２３のノズル９に押し当てる。
上昇時遮断機構Ｃ１の操作軸４を一次調整部Ｒ１の連動軸２８の延長線上に配置したときには、バネ部材５による駆動力が、弁体８の閉止力として的確に使用され、ガスの遮断状態が確実に保持される。
【００１１】
前記低下時遮断機構Ｃ２は、二次調整部Ｒ２のダイヤフラム弁機構自体により構成している。これによって装置全体の構成の簡略化が行なえる。
【００１２】
前記ロック機構３は、ダイヤフラム１の支持部材２に固定され、先端部が縮径された規制筒４１と、ダイヤフラム室２９の内壁３０にダイヤフラム１に向けて突出形成したガイド突起４３と、操作軸４の周面に形成した溝４４に一部が出入りするボール４７と、操作軸４の前進付勢用の前記バネ部材５とによって構成される。
【００１３】
調整器の下流側圧力が正常範囲にあるときには、図３に示したようにボール４７の一部分は前記溝４４に入り込んでおり、ボール４７の表面には溝４４の起立壁面４８とガイド突起４３の先端面４５と規制筒４１の縮径部内面４６に当接している。この落ち込み位置に保持されているボール４７によって、操作軸４は上昇時遮断機構Ｃ１の連動軸２８に向かっての前進移動を制止されている。
【００１４】
調整器の下流側圧力が所定値を超えた時には、ダイヤフラム１が図４に示したように右側に変位し、規制筒４１の縮径部内面４６によるボール４７の押し付けがなくなるため、ボール４７は溝４１の他側の傾斜壁面４９に押されて溝４１から押し出される。これによって溝４１の起立壁面４８によるボール４７の係止が解かれるため、操作軸４のロックが解除され、操作軸４はバネ部材５の付勢によって前記連動軸２８に向かって瞬時に前進移動する。
【実施例】
【００１５】
図１から図６に示した本発明の実施例について説明すると、調整器の上流側すなわち入口部５６には、バルク貯槽などの液化石油ガスの供給源が接続される。入口部５６に流入したガスは、高圧部の部屋２１に入り、隔壁２３のノズル９を通過して中圧部の部屋２２にる。中圧部に流入したガスは、内壁２４の通気口１５から一次調整部Ｒ１のダイヤフラム室２５に入る。調整バネ１６の設定に対応して一次調整部Ｒ１のダイヤフラム２７が図１において左右方向に変位し、左右方向に移動する連動軸２８の弁体８によって前記ノズル９が開閉されることによって、流入ガスは所定の中圧レベルに減圧される。
【００１６】
中圧部の部屋２２のガスは通路５７を通過して調整器の出口部５５の奥部にあるノズル１４を通過し、内壁５８の通気口２０から二次調整部Ｒ２のダイヤフラム室３９に入る。調整バネ１７の設定に対応して二次調整部Ｒ２のダイヤフラム１１が図２において上下方向に変位し、連動軸３２とレバー１２の連動リンクを介して左右方向に移動する弁体１３によってノズル１４が開閉されることによって、中圧ガスは更に減圧され、低圧ガスとして調整器の出口部５５から放出される。
二次調整部Ｒ２のダイヤフラム室３９のガスは、図１及び図２の内壁５８の通気口１８と図１の通路１９を通って、図１の上昇時遮断機構Ｃ１のダイヤフラム室２９に流入している。
【００１７】
上記のように一次調整部Ｒ１は、公知のダイヤフラム弁機構によって構成されており、調整バネ１６の押圧力とダイヤフラム室２５内の圧力との見合いによって、ダイヤフラム２７が図１において左右方向に変位し、弁体８がノズル９を開閉することによって、所定の中圧レベルに調圧された中圧ガスを二次調整部Ｒ２に送るものである。
弁体８を装着した連動軸２８は、ダイヤフラム２７の支持部材３１の中心部に、支持部材３１と一体的に移動するように装着されている。一次調整部Ｒ１から二次調整部Ｒ２に送り出される中圧ガスの圧力は、バネ受けナット２６の捻じ込み量を増減し、調整バネ１６の圧縮量を変更することによって設定される。
【００１８】
上記のように二次調整部Ｒ２も公知のダイヤフラム弁機構によって構成されており、調整バネ１７の押圧下において調整器の下流側の圧力変動に応じて変位するダイヤフラム１１と、ダイヤフラム１１の支持部材４０と一体的に変位する連動軸３２と、連動軸３２の先端部の連結孔３３に基端部を嵌挿され、支軸部３４を中心に揺動するベルクランク状のレバー１２と、調整器の出口部５５の奥部に捻じ込み深さを調整して捻じ込み装着され、端面壁にノズル１４を形成した筒体３５と、筒体３５の中心部にスライド可能に嵌挿された弁軸３６と、弁軸３６の中間部に設けられ、ノズル１４を開閉する弁体１３とで構成されている。弁軸３６の先端部の連結孔３７には、レバー１２の先端部が嵌挿されている。
【００１９】
調整バネ１７の押圧力とダイヤフラム室３９内の圧力との見合いによって、ダイヤフラム１１が図２において上下方向に変位し、ダイヤフラム１１の変位に追随して連動軸３２が上下方向に進退し、レバー１２が支軸部３４の周りに揺動することによって、弁棒３６が左右方向に進退し、弁棒３６の進退動作によって、弁体１３がノズル１４を開閉し、所定の低圧レベルに調圧された低圧ガスが調整器の出口部５５から下流側のガス消費設備に送り出される。
低圧ガスの圧力は、バネ受けナット３８の捻じ込み量を増減し、調整バネ１７の圧縮量を変更することによって設定される。
【００２０】
上記のように調整器の下流側圧力が上昇した時には、上昇時遮断機構Ｃ１の前記ロック機構３が瞬時に自動的に解除され、バネ部材５の付勢により操作軸４が連動軸２８を押し、前記弁体８がノズル９に押し当てられることによって、ガスの流れが即座に遮断されるのであるが、この遮断状態から導通状態に復帰させるには、下流側圧力が正常になるような所要の対策措置を講じた後、上昇時遮断機構Ｃ１のキャップ６を外し、摘み７を引いて操作軸４を図１において右側に退けばよい。この引張り動作の終端で、ボール４７が前記溝４１に落ち込むことによって操作軸４の前記ロックが再度成立する。
【００２１】
前記バネ部材５は圧縮コイルバネであり、操作軸４の拡大頭部４ａと前記内壁３０との間に圧縮されている。操作軸４の外周面と軸孔４２の内周面間には、シール部材５２が挿入されている。この上昇時遮断機構Ｃ１が作動する圧力レベルは、バネ受けナット５４の捻じ込み量を増減し、調整バネ５３の圧縮量を変更することによって行なわれる。
【００２２】
前記低下時遮断機構Ｃ２は二次調整部Ｒ２の機構を兼用しており、調整器の下流側圧力が設定レベルよりも下降した時には、図２においてダイヤフラム１１が下方に下がり、連動軸３２を介してダイヤフラム１１に連動しているレバー１２が、図６に示したように支軸部３４の周りに反時計周り方向に回動し、弁棒３６を右側に移動させるため、弁体１３がノズル１４に押し当てられる。これによってガスの流れは即座に遮断され、調整器の出口部５５からのガスの放出はなくなる。調整器出口部５５における低圧レベルよりも調整器内部における中圧レベルの方が高いため、この圧力差によって前記遮断状態は的確に維持される。
【００２３】
この遮断状態から導通状態に復帰させるときには、下流側圧力を正常に戻すための所要の対策措置を講じた後、復帰用ボタン１０を押し、連動軸３２を復帰用ボタン軸５０の先端カム面５１によって押し上げる。この押し上げ操作によって、図５に示したようにレバー１２が支軸部３４の周りに時計周り方向に回動し、弁棒３６を左側に移動させるため、弁体１３がノズル１４から離れる。これによってガスの流れが再開される。
【図面の簡単な説明】
【００２４】
【図１】本発明の実施例に係る遮断機構付調整器の高圧側から見た正面断面図である。
【図２】図１の遮断機構付調整器の側面断面図である。
【図３】図１のＡ部拡大図であり、調整器の下流側圧力が正常であって、ロック機構による操作軸の拘束が成立している状態を示す。
【図４】図１のＡ部拡大図であり、調整器の下流側圧力が上昇して前記操作軸の拘束が解除された状態を示す。
【図５】図２のＢ部拡大図であり、調整器の下流側圧力が正常であるときの位置関係を示す。
【図６】図２のＢ部拡大図であり、調整器の下流側圧力が低下したときの位置関係を示す。
【符号の説明】
【００２５】
Ｒ１  一次調整部
Ｒ２  二次調整部
Ｃ１  上昇時遮断機構
Ｃ２  低下時遮断機構
１  上昇時遮断機構のダイヤフラム
２  上昇時遮断機構の支持部材
３  上昇時遮断機構のロック機構
４  上昇時遮断機構の操作軸
５  上昇時遮断機構のバネ部材
６  上昇時遮断機構のキャップ
７  上昇時遮断機構の復帰用摘み
８  一次調整部の弁体
９  一次調整部のノズル
１０  調整器の復帰用ボタン
１１  二次調整部のダイヤフラム
１２  二次調整部のレバー
１３  二次調整部の弁体
１４  二次調整部のノズル
１５  調整器の通気口
１６  一次調整部の調整バネ
１７  二次調整部の調整バネ
１８  二次調整部の通気口
１９  上昇時遮断機構の通路
２０  二次調整部の通気口
２１  一次調整部の高圧部の部屋
２２  一次調整部の中圧部の部屋
２３  一次調整部の隔壁
２４  一次調整部の内壁
２５  一次調整部のダイヤフラム室
２６  一次調整部のバネ受けナット
２７  一次調整部のダイヤフラム
２８  一次調整部の連動軸
２９  上昇時遮断機構のダイヤフラム室
３０  上昇時遮断機構の内壁
３１  一次調整部の支持部材
３２  二次調整部の連動軸
３３  二次調整部の連結孔
３４  二次調整部の支軸部
３５  二次調整部の筒体
３６  二次調整部の弁軸
３７  二次調整部の連結孔
３８  上昇時遮断機構のバネ受けナット
３９  二次調整部のダイヤフラム室
４０  二次調整部の支持部材
４１  ロック機構の規制筒
４２  上昇時遮断機構の軸孔
４３  ロック機構のガイド突起
４４  ロック機構の溝
４５  ガイド突起の先端面
４６  規制筒の縮径部内面
４７  ロック機構のボール
４８  溝の起立壁面
４９  溝の傾斜壁面
５０  復帰用ボタン軸
５１  復帰用ボタン軸の先端カム面
５２  上昇時遮断機構のシール部材
５３  上昇時遮断機構の調整バネ
５４  上昇時遮断機構のバネ受けナット
５５  調整器の出口部
５６  調整器の入口部
【図１】
0004003969.tif 000002
【図２】
0004003969.tif 000003
【図３】
0004003969.tif 000004
【図４】
0004003969.tif 000005
【図５】
0004003969.tif 000006
【図６】
0004003969.tif 000007